(57)【要約】【課題】作業部を通常作業時とは反対側のオフセット位置に移動させた状態でのオフセット作業が可能な農作業機において、作業部のスタンド装着時（移動、格納時）に、手間をかけずに伝動フレームの回動を拘束することができる拘束装置を提案する。【解決手段】前フレーム１３、もしくは走行機体１００と連結される装着部１０を有する農作業機１の前部（非回動部）に装着されるスタンド６０に、伝動フレーム５１、もしくはリンク部材４１に係合する切り欠き部（係合部）６８ｂを設ける。スタンド６０を前フレーム１３に装着すると、切り欠き部（係合部）６８ｂが伝動フレーム５１の回動軸５３まわりの移動を拘束するか、もしくはリンク部材４１の、前フレーム１３側の支点回りの幅方向の移動を拘束することによって、伝動フレーム５１、もしくはリンク部材４１をスタンド６０に拘束することができる。【選択図】図１
2010124796.tif 000002
【特許請求の範囲】
【請求項１】
走行機体の後部に装着される装着部を有する前フレームと、前記前フレームに突設された回動軸に回動自在に連結され、先端位置に作業部を支持した伝動フレームと、一端部が前記前フレームに揺動自在に連結され、他端部が前記伝動フレームの先端側に揺動自在に連結され、前記伝動フレームと共に平行リンクを構成するリンク部材と、前記作業部の移動、格納時に前記前フレームの長手方向端部、もしくは前記装着部の幅方向端部に装着可能なスタンドと、を有し、前記伝動フレームが前記前フレームの回動軸の回りに、前記作業部が前進作業姿勢になる前進作業位置と、後進作業姿勢になる後進作業位置との間を回動自在とされ、前記伝動フレームの回動を拘束する移動、格納位置が前記前進作業位置から前記後進作業位置に至るまでの間に設けられた農作業機において、
前記スタンドの装着によって、前記スタンドと前記伝動フレーム、もしくは前記リンク部材が係合して前記伝動フレーム、もしくは前記リンク部材の回動、もしくは揺動を拘束することを特徴とする農作業機の拘束装置。
【請求項２】
前記スタンドは、前記伝動フレーム、もしくは前記装着部に装着された状態にあっては、前記伝動フレーム、もしくは前記リンク部材に係合して前記伝動フレーム、もしくは前記リンク部材の回動、もしくは揺動を拘束する係合部を有することを特徴とする請求項１に記載の農作業機の拘束装置。
【請求項３】
前記係合部は、前記伝動フレーム、もしくは前記リンク部材に係合して、前記伝動フレームの前記回転軸回りの幅方向への移動、もしくは前記リンク部材の支点回りの幅方向への移動を拘束することを特徴とする請求項２に記載の農作業機の拘束装置。
【請求項４】
前記係合部は、前記スタンド上部から前記走行機体の走行方向後方側に向かって延設されたアーム部材の、前記伝動フレーム、もしくは前記リンク部材に向かって屈曲して張り出す延長部に設けられた切り欠き部であることを特徴とする請求項３に記載の農作業機の拘束装置。
【発明の詳細な説明】
【技術分野】
【０００１】
本発明は、農作業機の拘束装置に関し、さらに詳しくは、作業部を通常作業時とは反対側のオフセット位置に移動させた状態でのオフセット作業が可能な農作業機において、作業部を支持する伝動フレームの回動を移動、格納位置で拘束する拘束装置に関する。
【背景技術】
【０００２】
走行機体の後部に装着され、作業部を走行機体の側方に移動させた状態で走行機体の走行と共にオフセット作業を行う農作業機、例えば畦塗り機にあっては、前処理体や整畦体等の作業部を支持する伝動フレームが、農作業機の本体フレームを構成する前フレーム（取付フレーム）に回動自在に支持される。
この場合、移動、格納時（スタンド装着時）に、伝動フレームが自由に回動しないよう、前フレームに拘束される必要がある。
【０００３】
通常は伝動フレームの回動操作を行うシリンダの伸縮時の伝動フレームの回転を利用し、伝動フレームが前進作業位置（移動、格納位置）に至ったときと後進作業位置（移動、格納位置）に至ったときに、ロック部材を動作させ、伝動フレームの回転を拘束することが行われる（特許文献１参照）。
【０００４】
【特許文献１】特開２００４−１７３５８６号公報（段落００１７〜００２３、図１、図５）
【発明の開示】
【発明が解決しようとする課題】
【０００５】
特許文献１では、例えば、伝動フレーム８が移動、格納状態にあるときには、伝動フレーム８に突設されたロックピン２５に電動シリンダ１９の伸縮に連動して回動するロックプレート２６が係止することにより伝動フレーム８の回転が拘束される（公報の図１参照）。この状態から伝動フレーム８の拘束を解除するには、電動シリンダ１９の収縮によりガイド部材１８を回転させ、ロックリンクプレート３５に連結されたロックアーム２７を移動させることにより、ロックアーム２７に連結され、ロックピン２５に係止しているロックプレート２６を解除することが行われる。
【０００６】
ロックプレート２６の解除状態からはガイド部材１８を更に回転させることで、伝動フレーム８及びそれに支持されている作業部（前処理体１０と整畦体１４）を伝動フレーム８の回動軸７の回りに回転させることで、伝動フレーム８と作業部が後進作業位置（移動、格納位置）に移行する。伝動フレーム８はそのまま、回動軸７に関し、ロックプレート２６の対称位置にあるロックプレート２９がロックピン２５に係止することにより拘束状態になる（公報の図５参照）。
【０００７】
このように従来、伝動フレームの回動を前進作業位置（移動、格納位置）と後進作業位置（移動、格納位置）で拘束する電動シリンダを必要としているが、電動シリンダに不具合が生じた場合には、伝動フレームが回動する虞がある。伝動フレームが回動すると、機体バランスが崩れやすくなり、スタンドごと転倒することも考えられる。
また、伝動フレームの移動、格納位置が、前進作業位置、後進作業位置ではなく、前進作業位置と後進作業位置の中間に位置する農作業機に適用しようとすると、電動シリンダに連動する複数の部品がさらに必要となるため、機構がより複雑化する。
【０００８】
そこで、前フレームに突設された被係合部材と、伝動フレームの移動端側に突設された被係合部材とに係合する係合孔を両端部に有する長尺状の拘束具（例えば、フラットバーを用いた安全バー等）により伝動フレームの回動を拘束することが考えられる。しかしながら、このような方法によると、スタンド装着時に拘束具を装着し忘れたり、拘束具の装着が面倒である。
【０００９】
本発明は、上記背景により、スタンド装着時に、手間をかけずに伝動フレームの回動を拘束することができる農作業機の拘束装置を提案するものである。
【課題を解決するための手段】
【００１０】
請求項１に記載の農作業機の拘束装置は、走行機体の後部に装着される装着部を有する前フレームと、前記前フレームに突設された回動軸に回動自在に連結され、先端位置に作業部を支持した伝動フレームと、一端部が前記前フレームに揺動自在に連結され、他端部が前記伝動フレームの先端側に揺動自在に連結され、前記伝動フレームと共に平行リンクを構成するリンク部材と、前記作業部（伝動フレーム）の移動、格納時に前記前フレームの長手方向端部、もしくは前記装着部の幅方向端部に装着可能なスタンドと、を有し、前記伝動フレームが前記前フレームの回動軸の回りに、前記作業部が前進作業姿勢になる前進作業位置と、後進作業姿勢になる後進作業位置との間を回動自在とされ、前記伝動フレームの回動を拘束する移動、格納位置が前記前進作業位置から前記後進作業位置に至るまでの間に設けられた農作業機において、
前記スタンドの装着によって、前記スタンドと前記伝動フレーム、もしくは前記リンク部材が係合して前記伝動フレーム、もしくは前記リンク部材の回動、もしくは揺動を拘束することを構成要件とする。
【００１１】
伝動フレーム及びリンク部材は平行に配置されてリンクを構成する。伝動フレームとリンク部材とを同一平面で回動（揺動）させる必要はなく、それぞれが回動（揺動）する高さ位置は任意である。伝動フレーム及びリンク部材は、作業部が前進作業姿勢のときと後進作業姿勢のときに折り畳まれる方向に回動した状態にある。伝動フレーム及びリンク部材の折り畳みの向きは、作業部が前進作業姿勢となる側であり、走行機体の走行方向前方側（前進の向き）に対して右側となる。作業部が伝動フレームの回動により走行機体の前進の向きに対して左側へ移動したときに後進作業姿勢となる。
【００１２】
伝動フレームは、前フレームの回動軸の回りに回動し、作業部が前進作業姿勢になる前進作業位置から、後進作業姿勢になる後進作業位置まで移動させ、逆に後進作業位置から前進作業位置まで移動させる。伝動フレームの回動は、後述のようにシリンダ（油圧式シリンダ、電動式シリンダ、電動油圧式シリンダ）によって行われる場合と、手動によって行われる場合とがある。
【００１３】
伝動フレームが前進作業位置から後進作業位置に至るまでの間に、作業部（伝動フレーム）を移動、格納時に位置させる移動、格納位置が設けられる。作業部の移動、格納時に、伝動フレーム及びリンク部材は、回動軸及び支点を回動中心として、農作業機の左右幅中心線に対して若干、走行機体の走行方向前方側（前進の向き）に対して左側に向かって回動した状態となるが、作業部は、その前後関係が反転することなく、伝動フレームの、走行機体の走行方向前方側に対して右側に位置している。
【００１４】
作業部（伝動フレーム）が移動、格納位置にあり、走行機体の３点リンク機構の油圧揚力によって農作業機が上げられた状態にあっては、農作業機の前フレームの長手方向端部、もしくは装着部の幅方向端部にスタンドが装着される。スタンドが装着されるのは、前フレーム、装着部等の農作業機前部における非回動部分である。スタンドが装着されるとは、スタンドが前フレーム、もしくは装着部に対して揺動不能な状態にあることを指している。スタンドは通常キャスタースタンドのことを指すが、キャスター無しのスタンドを含む。前フレーム、もしくは装着部に装着されたスタンドと伝動フレーム、もしくはリンク部材とが係合するとは、スタンド側に前フレーム、もしくは装着部と係合可能な係合部が設けられる場合と、前フレーム側、もしくは装着部側にスタンドと係合可能な係合部が設けられる場合とがある。前フレーム、もしくは装着部に装着されたスタンドと伝動フレーム、もしくはリンク部材とが係合して伝動フレーム、もしくはリンク部材の回動（揺動）を阻止する。これにより、作業部が移動、格納位置にあるときにスタンドが農作業機に装着されると、スタンドと伝動フレーム、もしくはリンク部材とが係合し、移動、格納位置にある伝動フレーム、もしくはリンク部材の回動（揺動）を拘束することができる。
【００１５】
スタンドを前フレーム、もしくは装着部に装着することによってスタンドと伝動フレーム、もしくはリンク部材とが係合して伝動フレーム、もしくはリンク部材の回動（揺動）が拘束されることで、手間をかけずに伝動フレームの回動を拘束することができる。結果として、スタンド装着された農作業機の機体バランスは崩れなくなり、スタンドごと転倒する虞はない。また、従来の拘束装置を複雑化する必要はなく、コストの低減化が図られる。
【００１６】
スタンドが係合部を有する場合（請求項２）、前フレーム、もしくは装着部に装着されたスタンドの係合部は伝動フレーム、もしくはリンク部材に係合して伝動フレーム、もしくはリンク部材の回動（揺動）を阻止する。このため、作業部が移動、格納位置にあるときにスタンドの係合部が伝動フレーム、もしくはリンク部材に係合し、移動、格納位置にある伝動フレーム、もしくはリンク部材をスタンドに拘束することができる。
【００１７】
係合部を有するスタンドを前フレーム、もしくは装着部に装着することによってスタンドと伝動フレーム、もしくはリンク部材とが係合して伝動フレーム、もしくはリンク部材がスタンドに拘束されることで、手間をかけずに伝動フレームの回動を拘束することができる。
【００１８】
伝動フレーム、もしくはリンク部材の回動、もしくは揺動を拘束するとは、伝動フレームの回転軸回りの幅方向への移動、もしくはリンク部材の支点回りの幅方向への移動を拘束することを指している（請求項３）。この場合、係合部は、伝動フレーム、もしくはリンク部材に上方から係合する場合と、下方から係合する場合とがある。これにより、前フレームにスタンドを装着する一連の作業により、伝動フレーム、もしくはリンク部材をスタンドに拘束することができる。
また、係合部は、スタンド上部から走行機体の走行方向後方側（後進側）に向かって延設されたアーム部材の、伝動フレーム、もしくはリンク部材に向かって屈曲して張り出す延長部に設けられた切り欠き部である（請求項４）。切り欠き部は、上方に向かって切り欠かれた場合と、下方に向かって切り欠かれた場合とがある。この切り欠き部は、伝動フレーム、もしくはリンク部材への係合を容易化すると共に、スタンド装着された農作業機のバランスを崩さない程度に伝動フレーム、もしくはリンク部材の回動方向（揺動方向）の若干の回動（揺動）を許容するため、その形状は任意である。
【発明の効果】
【００１９】
農作業機にスタンドが装着されると、スタンドと伝動フレーム、もしくはリンク部材とが係合して伝動フレーム、もしくはリンク部材の回動（揺動）が拘束されるため、従来のように前フレームと伝動フレームとの間に拘束具を介在させて伝動フレームの回動を拘束する必要がない。従って、伝動フレーム拘束のための構成要素としてはスタンド側に設けられた係合部（切り欠き部）か、伝動フレーム、もしくはリンク部材側に設けられた係合部（切り欠き部）によって成立させることができる。従って、スタンド装着時に、手間をかけずに伝動フレームの回動を拘束することができる。
【発明を実施するための最良の形態】
【００２０】
以下、本発明を実施するための最良の形態を図面を用いて説明する。図面では、伝動フレームに支持された作業部５０が畦塗り作業部であり、農作業機１が畦塗り機である場合を示しているが、農作業機１（作業部５０）の形態は一切問われず、オフセット作業が可能な農作業機１全般を含む。
【００２１】
図１は、走行機体１００の後部に装着される装着部１０を有する前フレーム１３と、前フレーム１３に配設された回動軸５３（回動中心）に回動自在に連結され、先端位置（移動側端部）に作業部５０を支持した伝動フレーム５１と、一端部が前フレーム１３に揺動自在に連結され、他端部が伝動フレーム５１の先端側に揺動自在に連結され、伝動フレーム５１と共に平行リンク４０を構成するリンク部材４１と、作業部５０の移動、格納時に前フレーム１３の幅方向端部、もしくは装着部１０の幅方向端部に装着されるスタンド６０と、を有する農作業機１を示す。伝動フレーム５１の先端位置（移動側端部）には作業部５０が支持され、伝動フレーム５１は、前フレーム１３の回動軸（動力伝達軸）５３の回りに、作業部５０が前進作業姿勢になる前進作業位置と、後進作業姿勢になる後進作業位置との間を回動自在とされる。前進作業位置と後進作業位置との間には、農作業機１にスタンド６０を装着する際、作業部５０が位置すべき移動、格納位置が設けられる。以下では農作業機１として畦塗り機の例を説明する。
【００２２】
農作業機（畦塗り機）１は、図１〜図３に示すように、走行機体１００からの動力が入力されるＰＩＣ軸（図示せず）を有する前フレーム１３の装着部１０において走行機体１００に接続されると共に、走行機体１００の後部に設けられた３点リンク機構（図示せず）に連結されることにより走行機体１００に装着され、走行機体１００の前進動及び後進動に応じて畦塗り作業を行う。また、農作業機１は、３点リンク機構の油圧揚力により上下方向に回動自在とされ、上方に回動された状態でスタンド６０が着脱される。
【００２３】
装着部１０は、走行機体１００の３点リンク機構のロワーリンク（下側２箇所）に連結可能な連結フレーム１１と、この連結フレーム１１の後方側に、走行機体１００の幅方向に並列する一対の支持アーム１２、１２を介して接合された前フレーム１３とを有し、連結フレーム１１の長手方向（走行機体１００の幅方向）の中央下部にＰＩＣ軸が配置される。ＰＩＣ軸には、走行機体１００のＰＴＯ軸（図示せず）からの動力がジョイント軸（図示せず）を介して伝達される。
【００２４】
連結フレーム１１の後端側には、連結フレーム１１の長手方向に所定間隔を有して後方側に突出する一対の支持アーム１２、１２が連結され、一対の支持アーム１２、１２の後端部に前フレーム１３が連結される。この前フレーム１３の長手方向中央には、走行機体１００の３点リンク機構のトップリンク（上側１箇所）に連結可能なトップマスト１４が配置される。前フレーム１３は、ＰＩＣ軸に直交軸ギヤを介して連接され、かつ前フレーム１３の下面から上面に向かった回動軸（動力伝達軸）５３を回動中心とする伝動フレーム５１が回動する空間を確保するために、後方に向かって開口した箱形を有している。
【００２５】
前フレーム１３の長手方向中央内部に伝動フレーム５１が回転自在に支持される。伝動フレーム５１は、その上部にＰＩＣ軸からの動力を作業部５０まで伝達するチェーン及び、前記チェーンが巻装される一対のスプロケット（いずれも図示せず）を用いた動力伝達機構を格納するチェーンケース５２（図２（ａ）、（ｂ）参照）を有し、回動軸（動力伝達軸）５３から作業部５０（畦塗り作業部）側へ張り出すように架設され、先端部分（移動側端部）に作業部５０（畦塗り作業部）が接続される。具体的には、前フレーム１３の長手方向中央部からはこれを貫通する回動軸（動力伝達軸）５３が上下方向に突出し、その上端部に駆動側のスプロケットが連結され、下端部に直交軸ギヤを介してＰＩＣ軸が連接される。また、伝動フレーム５１の移動側端部からはこれを貫通する回動軸（動力伝達軸）５４（作業部側）が上下方向に突出し、その上端部に従動側のスプロケットが連結され、下端部に直交軸ギヤ（図示せず）を介して作業部５０が連結される。
【００２６】
作業部５０側の回動軸（動力伝達軸）５４（図１参照）は、図２（ａ）、（ｂ）に示すように、互いに相対回転可能な上側軸部５５０、中央軸部５５１、下側軸部５５２からなる回動軸部５５によって包囲される。上側軸部５５０は伝動フレーム５１の移動側端部に連結、固定され、下側軸部５５２は、前記した直交軸ギヤを収納し、かつ作業部５０を支持するデフケース５６に連結、固定される。中央軸部５５１と下側軸部５５２とは、複数のリンク部材４２を介して連接されると共に、リンク部材４２の節に突設された上向きのガイドピン（ガイドローラ）４３（図２（ｂ）参照）の上部が、伝動フレーム５１の移動側端部の下面に沿って設けられたガイド溝（図示せず）に離脱可能に係合する。これにより、中央軸部５５１と下側軸部５５２とを連接する複数のリンク部材４２により、伝動フレーム５１の回動に伴って、作業部５０が通常作業時とは反対側のオフセット位置に移動すると共に、作業部５０のオフセット位置に移動中に、ガイドピン４３の上部が、伝動フレーム５１下面のガイド溝に係合し、ガイド溝に沿って摺接移動することにより、作業部５０の前後関係が反転（反転リバース）する。
【００２７】
図１〜図３（ａ）、（ｂ）に示すように、回動軸（動力伝達軸）５３よりも左側となる前フレーム１３の長手方向中央部に、伝動フレーム５１を走行機体１００の左右方向に向けて回動する（電動油圧式）シリンダ５７が揺動自在に支持される。シリンダ５７のロッド先端部は取付ブラケット１５を介して前フレーム１３に取り付けられ、シリンダ側取付部は伝動フレーム５１の移動側端部の左側面に設けられた取付ブラケット５８に揺動自在に連結されており、シリンダ５７の伸張動作により伝動フレーム５１は走行機体１００の右側（前進作業位置）に向けて回動し、短縮動作により走行機体１００の左側（後進作業位置）に向けて回動する。なお、シリンダ５７は、走行機体１００に乗ったまま手元で伸縮が行えるリモコン（図示せず）を備えている。
【００２８】
シリンダ５７のロッド先端部の下方に位置する前フレーム１３の下面側には、伝動フレーム５１の下面から下方に向かって突設された係合ピン（図示せず）に離脱可能に係合する回動アーム部（図示せず）が回動自在に設けられ、作業部５０が後進作業位置にあるときの伝動フレーム５１の回動を拘束し、後進作業位置にから前進作業位置、もしくは移動、格納時に切り替えるときに拘束を解除する拘束・解除装置（図示せず、具体的には電動アクチュエータ）が配置される。なお、作業部５０が前進作業位置にあるときの伝動フレーム５１の回動は、シリンダ５７により拘束される。
【００２９】
作業部５０（畦塗り作業部）は、図１及び図２（ａ）、（ｂ）に示すように、圃場の周辺に沿って形成された旧畦を切り崩して土盛りを行う前処理部５００と、盛られた土を切り崩された旧畦上に塗り付ける整畦部５０１とを備える。前処理部５００は、回転自在に支持された耕耘ロータ（図示せず）を備え、耕耘ロータは、デフケース５６に駆動ケース５９（図２（ｂ）に図示）を介して連結される。整畦部５０１は、回転可能に支持された多面体ドラム５０２を備え、多面体ドラム５０２はデフケース５６に駆動ケース（図示せず）を介して連結される。耕耘ロータと多面体ドラム５０２には、伝動フレーム５１に支持されたチェーンケース５２内の動力伝達機構及びデフケース５６を介して動力が伝達される。
【００３０】
前フレーム１３の、走行機体１００の前進の向きに対して左側（伝動フレーム５１の左側）となる端部には、図２（ａ）、図３（ａ）に示すように、リンク部材４１の一端部が、後方に開口したコ字状の取付フランジ１６を介して揺動自在に連結される。この取付フランジ１６の上面と前フレーム１３の左端部との間には、取付フランジ１６の取付強度（リンク部材４１の支持強度）を補剛するための箱形のブラケット１７が配置される。また、伝動フレーム５１及びリンク部材４１は、回動軸５３の軸回り及び前フレーム側の支点回りに、図１に示すように、作業部５０の移動、格納時（スタンド装着時）において前フレーム１３の左右幅中心線Ｚ（図１中、一点鎖線にて示す）に対して若干、走行機体１００の走行方向前方側（前進の向き）に対して左側に向かって回動した状態となるが、作業部５０は、その前後関係が反転することなく、伝動フレーム５１の、走行機体１００の走行方向前方側に対してほぼ右側に位置している。
【００３１】
前フレーム１３の長手方向両端位置からは、それぞれ側方に向かって、スタンド６０、６１（但し、スタンド６１は図３（ａ）参照）を取り付け支持するための箱型のブラケット１８、１９が張り出し、その先端部に、農作業機１の移動、格納時に用いられる一対のスタンド６０、６１がそれぞれ装着可能なスタンド装着部２０、２１が配置される。ブラケット１８、１９の内、走行機体１００の前進の向きに対して右側に位置するブラケット１９の前フレーム１３からの張り出し長さは、反対側（後進作業位置側）となる左側に位置するブラケット１８の前フレーム１３からの張り出し長さより大きい。これは、農作業機１の移動、格納時（スタンド装着時）にあっては、作業部５０の大部分が走行機体１００の前進の向きに対して伝動フレーム５１の右側に位置するので、右側のスタンド６１と農作業機１との干渉を回避すると共に、農作業機１を安定して支持するためである。
【００３２】
スタンド装着部２０、２１は、図１に示すように、外向きに開口した平面視コ字状に形成され、その内部にスタンド上部が挿入される。スタンド装着とは、スタンド装着部２０、２１内にスタンド上部が挿入されて揺動不能な状態のことを指している。スタンド装着部２０、２１の上面には、スタンド上部からこれを前後方向に貫通した丸棒状の係止部材６２を両端支持する支持部２２が下方に向かって切り欠き形成されており、走行機体１００の３点リンク機構の油圧揚力により上方に回動された農作業機１のスタンド装着部２０、２１に対し、その上方からスタンド６０、６１が係止可能とされる。また、支持部２２の下方側には、スタンド装着部２０、２１に装着されたスタンド６０、６１ごと前後方向に貫通し、スタンド上部を前フレーム１３に抜け止め固定する図示しない固定ピンが挿入される固定ピン用孔２３が形成される。
【００３３】
前フレーム１３のスタンド装着部２０に装着されるスタンド６０は、図４（ａ）、（ｂ）に示すように、前後一対のキャスター６３、６３が取り付けられた横フレーム６４と、この横フレーム６４の前部から立ち上がった縦フレーム６５とにより側面視Ｌ字状に形成される。縦フレーム６５の基部と横フレーム６４との間には、縦フレーム６５の支持強度を増強するための平板状の斜交い部材６６が結合、固定される。横フレーム６４及び縦フレーム６５には角パイプが用いられ（図１、図４（ｂ）参照）、縦フレーム６５の上部にはこれを前後方向に貫通した係止部材６２が配設される。係止部材６２の下方となる縦フレーム６５には、前記した固定ピンが貫通される固定ピン用孔６７が形成される。なお、前フレーム１３のスタンド装着部２１に装着されるスタンド６１も、上記したスタンド６０と同様の態様により構成される。
【００３４】
さらに、スタンド６０は、リンク部材４１に対して下方から係合する係合部としての切り欠き部６８ｂを有している。切り欠き部６８ｂは、スタンド６０の上部から走行機体１００の走行方向後方側（後進側）に向かって延設されたアーム部材６８の、リンク部材４１に向かって屈曲して張り出す延長部６８ａに設けられる。また、この切り欠き部６８ｂは、リンク部材４１への係合を容易化すると共に、スタンド装着された農作業機１のバランスを崩さない程度にリンク部材４１の揺動方向の若干の揺動を許容する形状を有している。切り欠き部６８ｂがリンク部材４１の下方から係合することにより、前フレーム１３にスタンド６０を装着する一連の作業により、リンク部材４１をスタンド６０に拘束することができる。
【００３５】
なお、スタンド６０に伝動フレーム５１と係合して伝動フレーム５１の回動を拘束する切り欠き部を設けることが可能である。また、スタンド６１に、伝動フレーム５１、もしくはリンク部材４１と係合して伝動フレーム５１、もしくはリンク部材４１の回動（揺動）を拘束する切り欠き部を設けることも可能である。
【００３６】
次に、スタンド６０、６１の装着について説明する。
伝動フレーム５１は、シリンダ５７の伸縮により、前フレーム１３の回動軸（動力伝達軸）５３の回りに回動し、作業部５０が前進作業姿勢になる前進作業位置から、後進作業姿勢になる後進作業位置まで移動させ、逆に後進作業位置から前進作業位置まで移動させる。伝動フレーム５１の回動を手動によって行う場合も同様である。
【００３７】
伝動フレーム５１が前進作業位置から後進作業位置に至るまでの間に、作業部５０（伝動フレーム５１）を移動、格納時に位置させる移動、格納位置が設けられる。作業部５０の移動、格納時に、伝動フレーム５１及びリンク部材４１は、それぞれ回動軸５３の軸回りと、前フレーム側の支点回りに、農作業機１の左右幅中心線Ｚに対して若干、走行機体の走行方向前方側（前進の向き）に対して左側に向かって回動した状態となるが、作業部５０は、図１に示すように、その前後関係が反転することなく、伝動フレーム５１の、走行機体１００の走行方向前方側に対してほぼ右側に位置している。
【００３８】
作業部５０（伝動フレーム５１）が移動、格納位置にあり、走行機体１００の３点リンク機構の油圧揚力によって農作業機１が上方に回動した状態で、前フレーム１３の長手方向端部のスタンド装着部２０、２１にそれぞれスタンド６０、６１が装着される。スタンド６０の係止部材６２が支持部２２に係止させられ、係止部材６２の軸回りにスタンド上部がスタンド装着部２０に挿入されると、切り欠き部６８ｂがリンク部材４１に下方側から係合してリンク部材４１の回動（揺動）を阻止する。このため、作業部５０が移動、格納位置にあるときにスタンド６０がリンク部材４１に係合し、移動、格納位置にあるリンク部材４１をスタンド６０に拘束する。
【００３９】
なお、スタンド６１も、係止部材６２が支持部２２に係止させられ、係止部材６２の軸回りにスタンド上部がスタンド装着部２１に挿入される。そして、スタンド装着部２０、２１に装着されたスタンド６０、６１は、図示しない固定ピンが固定ピン用孔２３に挿入されることにより、走行機体１００が農作業機１から切り離されても、スタンド６０、６１によって支持される。
【００４０】
以上説明したように、スタンド６０に伝動フレーム５１を拘束させる拘束機能を持たせたので、切り欠き部６８ｂ（係合部）を有するスタンド６０を前フレーム１３に装着することによってリンク部材４１がスタンド６０に拘束されることで、手間をかけずにリンク部材４１の支点回りの移動、言い換えれば伝動フレーム５１の回動軸５３回りの移動を拘束することができる。結果として、スタンド装着された農作業機１の機体バランスは崩れなくなり、スタンドごと転倒する虞はない。また、従来の拘束装置を複雑化することはなく、コストの低減化が図られる。
【図面の簡単な説明】
【００４１】
【図１】作業部が移動、格納位置に移動し、チェーンケースが取り外された状態の農作業機に、係合部（切り欠き部）を有したスタンドが装着された様子を示した平面図である。
【図２】（ａ）は、作業部が移動、格納位置に移動した状態の農作業機に、一対のスタンドが装着された様子を示した斜視図、（ｂ）は、（ａ）の側面図である。
【図３】（ａ）は、伝動フレーム（作業部）が移動、格納位置に移動した際のリンク部材と、スタンドの関係を示した斜視図、（ｂ）は、（ａ）の側面図である。
【図４】（ａ）は、拘束機能を備えたスタンドの側面図、（ｂ）は、（ａ）の背面図である。
【符号の説明】
【００４２】
１…農作業機（畦塗り機）、１０…装着部、１３…前フレーム、２０、２１…スタンド装着部
４０…リンク、４１…リンク部材
５０…作業部、５１…伝動フレーム、５３…回動軸（動力伝達軸）、５７…シリンダ
６０…スタンド、６２…係止部材、６３…キャスター、６４…横フレーム、６５…縦フレーム、６８…アーム部材、６８ａ…延長部、６８ｂ…切り欠き部（係合部）
【図１】
2010124796.tif 000003
【図２】
2010124796.tif 000004
【図３】
2010124796.tif 000005
【図４】
2010124796.tif 000006